(57)【特許請求の範囲】
【請求項１】
制御基板を収納する本体と蓋とを備えた樹脂製のコントロールボックスと、前記コントロールボックスの蓋の外側を覆う導電性の上板金カバーと、前記コントロールボックスの本体の外側を覆う導電性の下板金カバーと、前記下板金カバーの外側に設けられた高圧発生器とを備える空気調和機において、前記上板金カバーに前記コントロールボックスを貫通する金属製の接触端子を設け、前記上板金カバーを閉じることにより、前記接触端子が前記制御基板のグランドパターンに圧着され、前記接触端子と前記制御基板のグランドとが電気的に接続されるとともに、前記上板金カバーと前記下板金カバーとが電気的に接続されることで、前記高圧発生器の放熱板と前記制御基板のグランドとが前記下板金カバーと前記上板金カバーと前記接触端子とを介して電気的に接続されることを特徴とする空気調和機。
【発明の詳細な説明】
【技術分野】
【０００１】
本発明は、高圧発生器の放熱板と制御基板を収納するコントロールボックスに取り付けられた板金とを接続し、さらにコントロールボックスの板金を制御基板の２次側グランドに接続することにより高圧発生器による帯電を防止することができる空気調和機に関するものである。
【背景技術】
【０００２】
図２は従来の空気調和機およびコントロールボックスの構成図、図３（ａ）は同空気調和機のコントロールボックスと高圧発生器の構成図、図３（ｂ）は同空気調和機の高圧発生器の放熱板と下板金カバーとの接続を示す要部拡大斜視図、そして、図４は同空気調和機のコントロールボックスの要部断面図である。
【０００３】
従来、図２に示すように、空気調和機１の内部には、正負の電極間に高電圧をかけイオンを発生させる高圧発生器３が、コントロールボックス２に隣接して電気的に絶縁された状態で搭載されている。
【０００４】
そして、図３（ａ）に示すように、高圧発生器３には、イオンを発生させる際に高熱となるため、その発生した熱を放熱するための放熱板４が取り付けられている。また、図３（ｂ）に示すように、放熱板４はビス１０を用いて下板金カバー５ａと接続固定されている。
【０００５】
下板金カバー５ａは樹脂製のコントロールボックス２を下から覆い、上板金カバー５ｂは、樹脂製のコントロールボックス２を上から覆っている。
【０００６】
図４に示すように、制御基板８上に接続端子２１を実装し、接続端子２１にビス２２を通して、ビス２２でコントロールボックス２に固定すると同時に下板金カバー５ａと接続固定しており、下板金カバー５ａと接続端子２１とは電気的に接続されている（例えば、特許文献１参照）。
【０００７】
接続端子２１は制御基板８のグランドに接続されており、高圧発生器３より発生するイオンにより放熱板４に帯電した電位は、下板金カバー５ａを介して制御基板８のグランドに放電する構成としている。
【先行技術文献】
【特許文献】
【０００８】
【特許文献１】特開平１１−２３０５８３号公報
【発明の概要】
【発明が解決しようとする課題】
【０００９】
しかしながら、前記従来の構成では、コントロールボックスの下板金カバーと制御基板のグランドとの接続は、制御基板をコントロールボックスへ組み込んだ後、ビス止めするため、ビス止め時に制御基板上の他の実装部品を損傷させる可能性があるという課題や、ビス止めする工程が必要となり工数がかかるという課題を有していた。
【００１０】
本発明は、前記従来の課題を解決するもので、制御基板をコントロールボックスに組み込み、コントロールボックスの蓋をすることにより制御基板のグランドとコントロールボックスの下板金カバーとが電気的に接続される空気調和機を提供することを目的とする。
【課題を解決するための手段】
【００１１】
前記従来の課題を解決するために、制御基板を収納する本体と蓋とを備えた樹脂製のコントロールボックスと、前記コントロールボックスの蓋の外側を覆う導電性の上板金カバーと、前記コントロールボックスの本体の外側を覆う導電性の下板金カバーと、前記下板金カバーの外側に設けられた高圧発生器とを備える空気調和機において、前記上板金カバーに前記コントロールボックスを貫通する金属製の接触端子を設け、前記上板金カバーを閉じることにより、前記接触端子が前記制御基板のグランドパターンに圧着され、前記接触端子と前記制御基板のグランドとが電気的に接続されるとともに、前記上板金カバーと前記下板金カバーとが電気的に接続されることで、前記高圧発生器の放熱板と前記制御基板のグランドとが前記下板金カバーと前記上板金カバーと前記接触端子とを介して電気的に接続される構成とすることで、制御基板にビス止めする工程が不要となり、制御基板に配置された実装部品の損傷を防止することができる。
【発明の効果】
【００１２】
本発明の空気調和機は、コントロールボックスの蓋を閉じることにより、高圧発生器の放熱板と電気的に接続したコントロールボックスの下板金カバーと制御基板のグランドとを電気的に接続することができるため、制御基板にビス止めする工程が不要となり、ビス止め時の他部品への傷、破壊などの可能性がなくなり、余計な工数もかけずに作業性が良好で、従来同様に高圧発生器の放熱板に帯電した電位を制御基板のグランドに放電することができ、より信頼性の高い空気調和機を提供することができる。
【図面の簡単な説明】
【００１３】
【図１】本発明の実施の形態１における空気調和機のコントロールボックスの要部断面図
【図２】従来の空気調和機およびコントロールボックスの構成図
【図３】（ａ）同空気調和機のコントロールボックスと高圧発生器の構成図（ｂ）同空気調和機の高圧発生器の放熱板と下板金カバーとの接続を示す要部拡大斜視図
【図４】同空気調和機のコントロールボックスの要部断面図
【発明を実施するための形態】
【００１４】
第１の発明は、制御基板を収納する本体と蓋とを備えた樹脂製のコントロールボックスと、前記コントロールボックスの蓋の外側を覆う導電性の上板金カバーと、前記コントロールボックスの本体の外側を覆う導電性の下板金カバーと、前記下板金カバーの外側に設けられた高圧発生器とを備える空気調和機において、前記上板金カバーに前記コントロールボックスを貫通する金属製の接触端子を設け、前記上板金カバーを閉じることにより、前記接触端子が前記制御基板のグランドパターンに圧着され、前記接触端子と前記制御基板のグランドとが電気的に接続されるとともに、前記上板金カバーと前記下板金カバーとが電気的に接続されることで、前記高圧発生器の放熱板と前記制御基板のグランドとが前記下板金カバーと前記上板金カバーと前記接触端子とを介して電気的に接続される構成とすることで、制御基板にビス止めをする必要がないため工数をかけることなく、制御基板に配置された実装部品の損傷も防止することができる。
【００１５】
以下、本発明の実施の形態について、図面を参照しながら説明する。なお、この実施の形態によって本発明が限定されるものではない。従来の構成と同じ部位については、同じ符号を付して説明する。
【００１６】
（実施の形態１）
図１は、本発明の第１の実施の形態における空気調和機１に配置されたコントロールボックス２の要部を示す断面図である。コントロールボックス２は従来例と同様、図２に示すように空気調和機１内の側部に配置されており、図３（ａ）に示すように、コントロールボックス２に隣接して高圧発生器３が配置されている。
【００１７】
コントロールボックス２は、図１に示すように、その内部に制御基板８を配置している。樹脂製のコントロールボックス２の外側は導電性の下板金カバー５ａで覆われており、両者は接着固定され一体となっている。同様に、樹脂製のコントロールボックスの蓋６の
外側も導電性の上板金カバー５ｂで覆われており、両者は接着固定され一体となっている。そして、下板金カバー５ａの上側に、上板金カバー５ｂを覆いかぶせ、蓋をするように組み付け、上板金カバー５ｂと下板金カバー５ａとはネジ（図示せず）等で接続固定している。
【００１８】
高圧発生器３はイオンを発生させる際に高熱となり、その発生した熱を放熱するために、図３（ｂ）に示すように、放熱板４が取り付けられている。高圧発生器３の放熱板４は、図３（ｂ）に示すように、ビス１０を用いて下板金カバー５ａと接続固定されている。
【００１９】
そして、上板金カバー５ｂの側面には、図１に示すように、コントロールボックスの蓋６を貫通した状態で、接触端子７が溶接等で固定されている。接触端子７は、銅等の導電性の材料で形成され、ばね性を持った折れ曲がった形状をしている。そして、上板金カバー５ｂを下板金カバー５ａにかぶせたときに、接触端子７の先端面が制御基板８のグランドパターン９に圧着されるように構成している。これにより、上板金カバー５ｂと下板金カバー５ａとを組み付けた状態では、接触端子７を介して、上板金カバー５ｂと制御基板８のグランドが電気的に接続される。さらに、上板金カバー５ｂと下板金カバー５ａとは接続固定されており、下板金カバー５ａは高圧発生器３の放熱板４と接続固定されているので、高圧発生器３の放熱板４は制御基板８のグランドに電気的に接続されることになる。
【００２０】
よって、高圧発生器３の放熱板４が、高圧発生器３より発生するイオンにより帯電されたとしても、放熱板４は上、下板金カバー５ｂ、５ａおよび接触端子７を介して制御基板８のグランドに電気的に接続されているので、放熱板４に帯電した電位を制御基板８のグランドに放電することで、制御基板８の誤動作や破壊を防止することができる。
【００２１】
そして、上、下板金カバー５ｂ、５ａと制御基板８のグランドとの電気的接続を、ビスを用いずに、上板金カバー５ｂを下板金カバー５ａに組み付けるだけで、接触端子７により電気的接続可能とするので、ビス止めする工程を必要とせず、工数をかけることなく作業性がよく、また、ビス止め時に制御基板上の他の実装部品を損傷させるのを防止することができる。
【産業上の利用可能性】
【００２２】
本発明は、高圧発生器を搭載した空気調和機以外の機器の用途にも適用できる。
【符号の説明】
【００２３】
１  空気調和機
２  コントロールボックス
３  高圧発生器
４  放熱板
５ａ  下板金カバー
５ｂ  上板金カバー
６  コントロールボックスの蓋
７  接触端子
８  制御基板
９  グランドパターン
１０  ビス
２１  接続端子
２２  ビス
【図１】
0005716165.tif 000002
【図２】
0005716165.tif 000003
【図３】
0005716165.tif 000004
【図４】
0005716165.tif 000005